(57)【要約】  【課題】  応力集中やがたつきを生じることなく、かつ、寸法精度を過度に考慮しなくともよい新規な流路制御弁装置を提供する。  【解決手段】  四角形の略均一断面形状をなす回転軸１６と、この回転軸１６の回転に連動して吸気分岐通路１２を開閉する弁体１４と、を有する。回転軸１６が貫通・嵌合する弁体１４の嵌合部４６（４６Ｂ）には、回転軸１６と接近するように嵌合部４６の内面より内方へ張り出した３つの突起部を設ける。また、嵌合部４６（４６Ａ）に、回転軸１６の外郭形状に応じて複数の平面部を設け、隣り合う平面部の間のコーナー部に、平面部よりも回転軸１６から離間するように凹むとともに滑らかに湾曲する湾曲面部を設ける。  【選択図】  図２
2006070720.tif 000002
【特許請求の範囲】
【請求項１】
非円形の略均一断面形状をなす回転軸と、この回転軸に取り付けられ、この回転軸の回転に連動して流路を開閉する弁体と、を有する流路制御弁装置において、
上記弁体には、回転軸が貫通・嵌合する嵌合部と、回転軸に接近するように、嵌合部の内面より内方へ張り出した少なくとも一つの突起部と、が設けられていることを特徴とする流路制御弁装置。
【請求項２】
上記嵌合部が、その軸方向に沿って延び、かつ、互いに平行な第１平面及び第２平面を有しており、
上記突起部が、上記第１平面より張り出した第１突起部及び第２突起部と、上記第２平面より張り出した第３突起部と、により構成され、
かつ、上記軸方向に関して第３突起部が第１突起部と第２突起部との間に配置されていることを特徴とする請求項１に記載の流路制御弁装置。
【請求項３】
多角形の略均一断面形状をなす回転軸と、この回転軸に取り付けられ、この回転軸の回転位置に応じて流路を開閉する弁体と、を有する流路制御弁装置において、
上記弁体には、回転軸が貫通・嵌合する嵌合部が設けられ、この嵌合部には、回転軸の外郭形状に応じて複数の平面部が設けられ、かつ、隣り合う平面部の間のコーナー部に、回転軸から離間するように平面部から外方へ凹むとともに滑らかに湾曲する湾曲面部が設けられていることを特徴とする流路制御弁装置。
【請求項４】
上記コーナー部には、上記隣り合う平面部に対してそれぞれ略一定量外方へ凹んだ凹部が形成されており、
この凹部の隅角部分に、上記湾曲面部が形成されていることを特徴とする請求項３に記載の流路制御弁装置。
【請求項５】
上記流路が、内燃機関の吸気マニホールドに形成された複数の吸気分岐通路であり、
これら複数の吸気分岐通路に対応して上記弁体が複数設けられ、これら複数の弁体を一本の上記回転軸が貫通しており、
かつ、上記弁体が樹脂材料により形成される一方、上記回転軸が弁体よりも硬質な金属材料により形成されていることを特徴する請求項１〜４のいずれかに記載の流路制御弁装置。
【発明の詳細な説明】
【技術分野】
【０００１】
本発明は、内燃機関の吸気（分岐）通路のような流路を開閉する流路制御弁装置の改良に関する。
【背景技術】
【０００２】
特許文献１、特許文献２及び特許文献３等に記載されているように、内燃機関の吸気系には、吸気通路を絞るスロットル弁、吸気通路の実効長さを切り換える吸気切換弁、吸気（分岐）通路の一部を閉じることによりスワール流動成分やタンブル流動成分を付与するスワール弁やタンブル弁等の流路制御弁装置が設けられる。
【特許文献１】特開昭５９−１６４４６３号公報
【特許文献２】特開２００３−２７８６１６号公報
【特許文献３】特開平９−１２５９７０号公報
【発明の開示】
【発明が解決しようとする課題】
【０００３】
このような流路制御弁装置は、例えば、弁体が取り付けられた回転軸を適宜なアクチュエータにより回転駆動することにより、弁体を介して吸気通路を開閉するようになっている。回転軸は、その回転力を弁体に伝えるために、例えば矩形のような非円形の断面形状をなしている。弁体には、回転軸が貫通・嵌合する嵌合部が形成される。
【０００４】
ここで、嵌合部の内面の形状を、単に回転軸の外郭形状とほぼ同一形状とすると、以下のような課題があることがわかった。仮に嵌合部の軸直交方向の断面寸法が回転軸の断面寸法よりも大きくなると、回転軸と嵌合部との間に隙間が生じ、隙間の分で両者が移動する、所謂がたつきを招くおそれがある。一方、仮に嵌合部の寸法が回転軸の寸法よりも小さくなると、両者が圧入状態となり、その圧入・組立作業が困難になるとともに、特に嵌合部の内面の角部（コーナー部）等に応力が集中し、望ましくない歪みや亀裂・破損等を招くおそれがある。このようながたつきや応力集中による破損等を回避するために、嵌合部及び回転軸の双方に対し、軸直交方向の寸法を極めて精度良く管理する必要があり、その製造が極めて困難である。
【０００５】
特に、近年の内燃機関の吸気系に用いられる吸気制御弁等の弁体は軽量且つ安価な樹脂材料により形成することが望まれており、その一方、高い強度・剛性が要求される回転軸は金属材料により形成される。このように互いに嵌合する弁体の嵌合部と回転軸とで材質が異なり、材料剛性が低い弁体側には、特に上記応力集中による歪みの発生等の不具合を招くおそれが高くなってしまう。また、上述した内燃機関のスワール弁やタンブル弁のように、各気筒毎に設けられる複数の弁体に対して一つの回転軸を共用する場合には、回転軸の軸方向寸法が必然的に長くなり、その軸方向全長にわたって、上述したように軸直交方向の寸法を厳密に管理することは非常に困難である。
【課題を解決するための手段】
【０００６】
本発明はこのような課題に鑑みてなされたものである。すなわち、第１の発明は、非円形の略均一断面形状をなす回転軸と、この回転軸に取り付けられ、この回転軸の回転に連動して流路を開閉する弁体と、を有する流路制御弁装置において、上記弁体には、上記回転軸が貫通・嵌合する嵌合部と、上記回転軸に接近するように、上記嵌合部の内面より内方へ張り出した少なくとも一つの突起部と、が設けられていることを特徴としている。
【０００７】
また、第２の発明は、多角形の略均一断面形状をなす回転軸と、この回転軸に取り付けられ、この回転軸の回転位置に応じて流路を開閉する弁体と、を有する流路制御弁装置において、上記弁体には、上記回転軸が貫通・嵌合する嵌合部が設けられ、この嵌合部には、上記回転軸の外郭形状に応じて複数の平面部が設けられ、かつ、隣り合う平面部の間のコーナー部に、上記回転軸から離間するように上記平面部から外方へ凹む（膨らむ）とともに滑らかに湾曲する湾曲面部が設けられていることを特徴としている。
【発明の効果】
【０００８】
本発明によれば、回転軸の寸法や嵌合部の寸法に多少の誤差・ばらつきが生じても、回転軸と嵌合部との間に過度な隙間が生じたり、両者間に過度な圧力が作用することを有効に抑制・回避することができる。従って、寸法精度の管理幅の拡大が可能となり、製造が容易で生産性に優れるとともに、回転軸を嵌合部へ挿入する際の圧入抵抗が過度に増加することがなく、組付作業性にも優れている。更に、嵌合部における応力集中を緩和することができ、結果的に、その許容強度が向上し、信頼性が向上する。
【発明を実施するための最良の形態】
【０００９】
以下、図示実施例により本発明の好ましい実施例を図面に基づいて詳細に説明する。図１は、本発明の第１実施例に係る流路制御弁装置として、４気筒内燃機関の吸気分岐通路１２の一部を閉じることにより、各吸気分岐通路１２を流れる吸気にタンブル成分を付与するタンブル制御弁装置を示す分解斜視図である。この装置は、各気筒に対応して設けられた４つの流路としての吸気分岐通路１２を開閉する４つの弁体１４と、これら弁体１４を貫通しつつ弁体１４に嵌合する一本の回転軸１６と、この回転軸１６を回転駆動するアクチュエータ１８と、を有している。このアクチュエータ１８により回転軸１６を回転駆動することにより、弁体１４によって吸気分岐通路１２の開度が調整される。
【００１０】
吸気分岐通路１２を画成する吸気マニホールド２０は、各気筒に対応して４本の吸気ブランチ２２を備えるとともに、上記のアクチュエータ１８を取り付けるアクチュエータ取付部２４が形成されている。この吸気マニホールド２０は、ボルト孔２６を挿通する複数本のボルト（図示省略）によって、シリンダヘッド（図示省略）の側壁に固定される。このシリンダヘッド側壁と吸気マニホールド２０のヘッド取付面２８との間には、周知のガスケットが介装される。
【００１１】
各弁体１４は弁支持体３０を介して吸気マニホールド２０に組み付けられる。この弁支持体３０は、弁体１４のジャーナル部４２を回転可能に支持する２つの軸受部３２を有している。また、弁支持体３０は、弁体１４を組付可能なように、一方の軸受部３２を含む一部が別部材３０Ａとして構成されている。また、弁支持体３０には、吸気マニホールド２０に組み付けられたときに、吸気ブランチ２２の内面とともに吸気通路１２の一部を画成する通路形成部３４を有している。つまり、弁支持体３０を吸気マニホールド２０に組み付けた状態で、弁支持体３０，吸気マニホールド２０の両者３０，２０が共同して滑らかな吸気分岐通路１２を形成するように設定されている。
【００１２】
これらの吸気マニホールド２０，弁体１４及び弁支持体３０は、軽量化及び低コスト化等を図るために、合成樹脂材料により形成されている。特に、この実施例では、弁体１４に対する軸受部材としての弁支持体３０が、軸受としての強度・耐摩耗性を確保するために、弁体１４とは別部材として構成されており、かつ、耐摩耗性等を考慮しテフロン（登録商標）等を含む適切な樹脂材料が各々に使用されている。また、全ての弁体１４を駆動するための回転動力が作用する回転軸１６は、樹脂材料に比して強度・剛性に優れた金属材料により形成されている。
【００１３】
図２は、弁体１４、弁支持体３０及び回転軸１６の一部を組立状態で示す斜視図であり、図３〜５は、弁体１４を単体で示している。弁支持体３０には突起部３６が形成され、この突起部３６が吸気マニホールド２０の通路開口部に形成された嵌合溝３８（図１参照）に嵌合することにより、弁支持体３０を吸気マニホールド２０に容易かつ正確に組み付けることができるようになっている。弁体１４は、吸気分岐通路１２を開閉する羽根部４０と、この羽根部４０の軸受側・根本側（図２の下側）の両側二箇所に形成され、外周が円形の軸受面をなす一対のジャーナル部４２と、ジャーナル部４２と羽根部４０との間に形成された鍔部４４と、を有している。弁支持体３０の一対の軸受部３２の直ぐ内側に位置する鍔部４４によって、弁体１４の回転軸１６の軸方向Ｆ１（図３参照）についての移動・がたつきが防止されている。
【００１４】
そして、この弁体１４には、回転軸１６が貫通及び嵌合する嵌合部４６が形成されている。この嵌合部４６は、ジャーナル部４２及び鍔部４４を貫通する区間では、回転軸１６の外郭形状に応じた矩形の略均一断面形状をなす穴部４６Ａであり、羽根部４０を挿通する区間では、羽根部４０の一方の表面で開口するコ字形（チャンネル形）の略均一断面形状をなす溝部４６Ｂとなっている。
【００１５】
図４は、図３の嵌合部４６における溝部４６Ｂの部分を拡大して示す平面図である。この溝部４６Ｂは、回転軸１６の外郭形状に応じて、軸方向（図４の左右方向）に延びる３つの平面、すなわち、回転軸１６の軸方向Ｆ１に直交する羽根部４０の長手方向Ｆ２に直交する第１平面４８Ａと、この第１平面４８Ａと平行に対向し、かつ、羽根部４０の先端側（図３，４の上側）に位置する第２平面４８Ｂと、これら第１，第２平面４８Ａ，４８Ｂに直交し、かつ、第１，第２平面を繋ぐ第３平面４８Ｃと、により構成されている。
【００１６】
そして、溝部４６Ｂには、回転軸１６の表面に局所的に接近又は強く接触するように、その内面４８Ａ〜４８Ｃより内方へ張り出した複数の突起部５０Ａ〜５０Ｃが形成されている。この実施例では３つの突起部５０Ａ〜５０Ｃが設けられており、第１突起部５０Ａと第２突起部５０Ｂとは、第１平面４８Ａ上に設けられ、軸方向Ｆ１で互いに離間しており、それぞれ溝部４６Ｂの端部近傍に配置されている。第３突起部５０Ｃは、第１平面４８Ａに対向する第２平面４８Ｂ上に設けられ、かつ、軸方向Ｆ１に関して第１突起部５０Ａと第２突起部５０Ｂとのほぼ中間位置に配置されている。つまり、突起部５０Ａ〜５０Ｃは、互いに対向する第１，第２平面４８Ａ，４８Ｂに互い違いに（交互に）配置され、かつ、軸方向Ｆ１に略等間隔毎に配置されている。
【００１７】
図５は、図３のＶ−Ｖ線に沿う断面図であり、（Ａ）では回転軸１６を省略し、（Ｂ）では回転軸が嵌合した状態を示している。嵌合部４６における孔部４６Ａには、回転軸１６の多角形状の外郭形状に応じて、４つの平面部５２が設けられている。具体的には、これら４つの平面部５２のうちの３つが上記溝部４６Ｂにおける３つの平面４８Ａ〜４８Ｃと滑らかに接続している。そして、隣り合う平面部５２の間の略直角に折曲する四隅のコーナー部に、平面部５２に比して回転軸１６から離間するように外方へ凹んだ凹部５４が設けられている。各凹部５４は平面部５２に対して所定量外方へ凹んだ断面略Ｌ字状をなしており、凹部５４と平面部５２との間には段差が与えられている。言い換えると、凹部５４に対して平面部５２が回転軸１６に接近する方向つまり内方へ張り出した形状となっている。更に、各凹部５４における隅角部分の中で、特に応力が集中し易い隅角部分に、所定の曲率・曲率半径Ｒで滑らかに湾曲する湾曲面部５６、すなわちＲ面取り部が設けられている。これらの湾曲面部５６は、同一の方向（図５では左右方向）に沿って半円状に凹んだ形状をなしている。
【００１８】
なお、第１〜第３平面４８Ａ〜４８Ｃ及び平面部５２の寸法は、圧入による応力集中を確実に回避するために、回転軸１６の軸直交方向断面の寸法と略同等又は僅かに大きい値に設定されている。
【００１９】
図６は、第２実施例に係る嵌合部４６の孔部４６Ａの形状を示しており、図５と同様、図３のＶ−Ｖ線に沿う断面図に相当する。この実施例では、上記第１実施例の凹部５４が省略された簡素な形状となっている。すなわち、隣り合う平面部５２の間の略直角に折曲する四隅のコーナー部には、平面部５２に比して回転軸１６から離間するように外方へ凹み、かつ、滑らかに湾曲する湾曲面部５６Ａのみが形成されている。
【００２０】
このような本発明の実施例に係る特徴的な構成及びその作用効果について、以下に列記する。
【００２１】
（１）非円形の略均一断面形状をなす回転軸１６と、この回転軸１６に取り付けられ、この回転軸１６の回転に連動して流路１２を開閉する弁体１４と、を有する。弁体１４に回転軸１６が嵌合する嵌合部４６を設け、かつ、嵌合部４６の溝部４６Ｂには、回転軸１６に接近するように、内方へ向けて張り出した少なくとも一つの突起部（５０Ａ〜５０Ｃ）を設ける。従って、このような突起部の部分で局所的に回転軸１６と強く接触する形となり、突起部以外の部分での回転軸１６との接触を低減・回避できる。よって、回転軸１６及び嵌合部４６（特に、溝部４６Ｂ）の寸法に多少の誤差が生じても、回転軸１６と嵌合部４６との間に過度な隙間が生じてがたつきを生じることがなく、寸法精度の管理幅の拡大が可能となる。また、回転軸１６と嵌合部４６との接触面積が実質的に少なくなることから、回転軸１６を嵌合部４６へ挿入する際の圧入抵抗が過度に増加することがなく、組付作業性をも向上することができる。更に、突起部の部分で局所的に強く回転軸１６と接触させることにより、特に、嵌合部４６における四隅のコーナー部分等への応力集中を緩和することができ、結果的に、その許容強度が向上し、信頼性が向上する。
【００２２】
（２）より好ましくは、嵌合部４６が互いに平行な第１平面４８Ａ及び第２平面４８Ｂを有しており、突起部５０Ａ〜５０Ｃが、第１平面４８Ａより張り出した第１突起部５０Ａ及び第２突起部５０Ｂと、第２平面４８Ｂより張り出した第３突起部５０Ｃと、により構成されている。そして、上記の軸方向Ｆ１に関して第３突起部５０Ｃが第１突起部５０Ａと第２突起部５０Ｂとの間、より詳しくは両者の中間位置に配置されている。このように３つの突起部５０Ａ〜５０Ｃを対向する２つの平面４８Ａ，４８Ｂに互い違いに配置し、しかもこれらを軸方向Ｆ１について等間隔おきに配置することにより、回転軸１６の表面を三点支持し、効果的に軸方向Ｆ１への移動を抑制し固定することができ、回転軸１６の挿入作業性の向上、応力集中（歪み）の発生の回避、及び支持力の向上等の効果をバランス良く得ることができる。
【００２３】
図７は、突起部の配置と発生ひずみ（Ｇｅｎｅｒａｔｉｏｎ  Ｄｉｓｔｏｒｔｉｏｎ）との関係を示している。同一の嵌合部４６の溝部４６Ｂに対し、比較例は突起部のないものであり、実施例は突起部を設定したものである。第３実施例では、対向する２つの平面４８Ａ，４８Ｂに３つの突起部５０Ｄ〜５０Ｆを互い違いに配置している点では上記の第１，第２実施例と同じであるが、羽根部先端側（図７の上側）の平面４８Ｂに２つの第１，第２突起部５０Ｄ，５０Ｅを設け、羽根部根本側（図７の下側）の平面４８Ａに１つの第３突起部５０Ｆを設けている。第４〜６実施例は、対向する２つの平面４８Ａ，４８Ｂに直交する第３平面４８Ｃに突起部を設けたものであり、第４実施例では２つの突起部５０Ｇ，５０Ｈが適宜間隔をあけて設けられており、第５，６実施例では１つの突起部５０Ｉ又は５０Ｊが略中央に設けられている。第６実施例の突起部５０Ｊは第５実施例の突起部５０Ｉに比して軸方向寸法が長く設定されている。
【００２４】
突起部を設けた第１〜第６実施例では比較例に比して支持力が確実に向上する一方、第４〜６実施例に関しては、発生ひずみが高くなる点で不利といえる。但し、第１〜第３実施例のように、対向する二平面４８Ａ，４８Ｂに３つの突起部を互い違いに配置した場合には、突起部を設けているにもかかわらず、発生ひずみを突起部のない比較例と同等以下に抑制することができる。特に、３つの突起部のうちで２つの突起部５０Ａ，５０Ｂを根本側の平面４８Ａの端部近傍に配置した第１実施例では、発生歪み（応力集中）を最も抑制することができる。
【００２５】
なお、第１〜第３実施例のように複数の突起部を設ける場合には、好ましくは、主として応力集中の発生を低減・回避するために、突起部の突出量を全ての突起部で同じに設定する。
【００２６】
（３）多角形の略均一断面形状をなす回転軸１６と、この回転軸１６に取り付けられ、この回転軸１６の回転位置に応じて吸気分岐流路１２を開閉する弁体１４と、を有する。弁体１４には、回転軸１６が貫通・嵌合する嵌合部４６が設けられる。この嵌合部４６における孔部４６Ａには、回転軸１６の外郭形状に応じて複数の平面部５２が設けられるとともに、隣り合う平面部５２の間のコーナー部に、回転軸１６から離間するように平面部５２から外方へ凹む・膨らむとともに滑らかに湾曲する湾曲面部５６，５６Ａが設けられている。
【００２７】
このように湾曲面部５６，５６Ａを設けることにより、上記実施例のように回転軸１６の隅角部分の角Ｒが小さく、実質的に鋭角に折曲しているような場合でも、このような回転軸１６の隅角部分との干渉を確実に回避することができる。従って、嵌合部４６におけるコーナー部への応力集中を緩和することができ、その許容強度を向上することができ、信頼性が向上するとともに、寸法精度の管理幅を大きくでき、生産性・経済性が向上する。また、湾曲面部を形成することにより、回転軸１６と嵌合部４６との接触面積が実質的に少なくなることから、回転軸１６を嵌合部４６へ挿入する際の圧入抵抗が過度に増加することがなく、組付作業性をも向上することができる。
【００２８】
（４）より好ましくは図５に示すように、嵌合部４６の孔部４６Ａにおけるコーナー部に、隣り合う平面部５２に対してそれぞれ略一定量外方へ凹んだ凹部５４が形成されており、この凹部５４の隅角部分に、上記の湾曲面部５６が形成されている。このように凹部５４を設けることにより、コーナー部における回転軸と嵌合部との干渉をより確実に回避することができるとともに、回転軸１６に接触する平面部５２の面積を更に低減し、回転軸１６を嵌合部４６により一層挿入し易くすることができる。また、回転軸１６に対する接触面の寸法修正を、弁体１４を型成形するための金型で行う場合に、回転軸１６に接触することとなる平面部５２のみを修正すれば良い点でも簡便である。
【００２９】
（５）内燃機関の吸気マニホールド２０に形成された複数の吸気分岐通路１２に対応して弁体１４が複数設けられる場合、これら複数の弁体１４に一本の回転軸１６を貫通させることにより、複数の弁体１４に対する回転軸１６を一本で共用化することができ、複数の弁体同士の同期を確実に行うことができるとともに、部品点数が少なく構成が簡素化される。但し、このように回転軸１６を共用化すると、高い強度・剛性が要求されるとともに、その軸方向寸法が長くなり、全長にわたって軸直交方向の寸法精度を正確に確保することが非常に困難である。従って、上述したような寸法精度の管理幅の拡大効果が極めて有効である。
【００３０】
（６）近年の内燃機関の吸気系では、軽量化及び低コスト化等の要請により、吸気マニホールド２０、弁体１４及び弁支持体３０等が合成樹脂により形成される傾向にある。これに対し、複数の弁体１４を回転駆動するための回転軸１６には高い強度・剛性が要求されるので、硬質な金属材料により形成される。このため、回転軸１６と弁体１４の嵌合部４６とが圧入状態となると、材料剛性に劣る弁体１４側で応力集中による歪みを生じ易いという特有の課題があり、上述したような応力集中の緩和等の効果が極めて有効である。
【００３１】
（７）図２に示すように、嵌合部４６の中で、羽根部４０を挿通する溝部４６Ｂが、一方へ開口するチャンネル形状に形成されており、この開口部の部分では、吸気分岐通路１２を流れる吸気抵抗の増加を招くことのないように、羽根部４０の表面と回転軸１６の表面とが実質的に同一平面、すなわち面一となるように設定されている。従って、回転軸１６が羽根部４０の表面に対して突出又は陥没している場合に比して、通気抵抗を軽減することができる。また、開口部を覆う必要がないので、その分、羽根部４０の厚さを十分に薄くすることができ、より一層の通気抵抗の低下及び軽量化が図られている。
【００３２】
但し、仮に開口部に対向する第３平面４８Ｃを形成する部分をも開口形状とし、つまり回転軸の２つの面が表出する形状とすると、羽根部の厚さを更に薄くできるものの、両側の鍔部４４近傍の部分で更に応力が集中し易くなり、強度・剛性を確保することが非常に困難となってしまう。また、弁体を型成形する際に材料の流れが悪くなり製造性の面でも不利である。
【００３３】
（８）主として羽根部４０の薄肉化による軽量化・通気抵抗の低減化を図るために、回転軸１６の軸直交方向断面形状が、羽根部４０の長手方向Ｆ２を長辺とする長方形状に設定されている。
【００３４】
（９）弁体１４の軸受としての強度・剛性が要求される弁支持体３０が、弁体１４や吸気マニホールド２０とは別部材として構成されている。このために、弁支持体３０のみを比較的硬質な樹脂材料により形成することができる。更に言えば、この弁支持体３０は、一方の軸受部３２を含む一部が別部材３０Ａとして構成されており、弁体１４を組み付けることができるようになっている。このように弁支持体３０に弁体１４を予め回転可能に組み付けた状態で、弁支持体３０を吸気マニホールド２０に組み付けることにより、弁体１４を容易に吸気マニホールド内に回転可能に装着することができ、その組立作業が容易である。
【００３５】
以上のように本発明を具体的な実施例に基づいて説明してきたが、本発明はこれらの実施例に限定されるものではなく、その趣旨を逸脱しない範囲で種々の変形・変更を含むものである。例えば、上記実施例では内燃機関の吸気流動にタンブル成分を付与するタンブル制御弁に本発明を適用しているが、これに限らず、スワール制御弁、スロットル弁、吸気通路切換弁の他、同様の流路制御弁にも本発明を適用することができる。
【図面の簡単な説明】
【００３６】
【図１】本発明の第１実施例に係る流路制御弁装置を示す分解斜視図。
【図２】図１の弁体、弁支持体及び回転軸の一部を示す要部拡大斜視図。
【図３】上記弁体の単体での平面図。
【図４】図３の嵌合部の溝部を示す平面図。
【図５】上記第１実施例に係る図３のＶ−Ｖ線に沿う断面図で、（Ａ）が回転軸を省略した状態、（Ｂ）が回転軸を組み込んだ状態。
【図６】本発明の第２実施例に係る図３のＶ−Ｖ断面に相当する断面図で、（Ａ）が回転軸を省略した状態、（Ｂ）が回転軸を組み込んだ状態。
【図７】突起部と発生する歪みとの関係を示す説明図。
【符号の説明】
【００３７】
１２…吸気分岐通路（流路）
１４…弁体
１６…回転軸
４６…嵌合部
５０Ａ〜５０Ｃ…突起部
５２…平面部
５４…凹部
５６…湾曲面部
【図１】
2006070720.tif 000003
【図２】
2006070720.tif 000004
【図３】
2006070720.tif 000005
【図４】
2006070720.tif 000006
【図５】
2006070720.tif 000007
【図６】
2006070720.tif 000008
【図７】
2006070720.tif 000009